(57)【特許請求の範囲】
【請求項１】
電子機器の外部接続端子としてのプラグ端子を有するハウジング部と、該プラグ端子に接続されるカード型記録媒体を挿抜する際にガイドするガイド部とを備え、該電子機器に装着されるカードコネクタにおいて、
該ガイド部は、金属材料により薄幅に形成され、該ハウジング部の両側に対向して延出して取付けられる1対のガイド部材からなり、
前記１対のガイド部材の上面の間に金属材料により形成されるフレーム部材がさらに橋架されてなり、
前記フレーム部材は、下方に切り起こされて２段に折り曲げられ、前記1対のガイド部材の間において、前記ハウジング部の方向に向けて延在する切り起こし部分を有し、
該切り起こし部分は、前記フレーム部材の本体部と平行とされて前記ハウジング部の方向に延出している先端部を有し、
前記先端部は、前記ガイド部によってガイドされて挿入された前記カード型記録媒体の上面と密接するように形成してあることを特徴とするカードコネクタ。
【請求項２】
前記フレーム部材は、前記切り起こし部分に対して前記ハウジング部とは反対側の部位に、上方に切り起こされて２段に折り曲げられ、前記ハウジング部とは反対の方向に向けて延在する別の切り起こし部分を更に有し、
該別の切り起こし部分は、前記フレーム部材の前記本体部と平行とされて前記ハウジング部の方向とは反対の方向に延出している別の先端部を有し、
前記別の先端部は、電子機器の金属材料により形成されるベース部材の下面と密接するように形成してあることを特徴とする請求項１記載のカードコネクタ。
【請求項３】
電子機器の外部接続端子としてのプラグ端子を有し、且つ、基板への取り付け部を有するプラグ端子保持体と、
金属板を折り曲げてなり、ベース部と、該ベース部の両側に立設され、該プラグ端子に接続されるカード型記録媒体を挿抜する際にガイドする１対のガイド部材からなるガイド部とを備え、
該１対のガイド部材は、該カード型記録媒体の誤挿入を防止するための突起がそれぞれ設けてあり、
該プラグ端子保持体および該ガイド部はそれぞれ独立して該電子機器の前記基板上に取付けられ、
該ガイド部の前記１対のガイド部材が該プラグ端子保持体の両側に対向して配置してあることを特徴とするカードコネクタ。
【請求項４】
前記突起は、前記1対のガイド部材のそれぞれを切り起こして突設されてなることを特徴とする請求項３記載のカードコネクタ。
【発明の詳細な説明】
【０００１】
【発明の属する技術分野】
本発明は、カードコネクタに関する。
【０００２】
【従来の技術】
近年の電子機器分野では、取り扱う情報量の増加に伴って、電子機器に各種の外部記録媒体が接続可能に設けられている。これらの外部記録媒体１つであるＰＣカード、あるいは、アダプタに装着されたメモリースティック（以下、これらを総称してカード型記録媒体、あるいは、必要に応じて単にカードという。）をカードコネクタを介して電子機器に接続可能に設けたものも多い。
【０００３】
上記カードコネクタの従来例について、図１を参照して説明する。
【０００４】
カードコネクタ１は、コネクタ本体２とハウジング部材３とガイド部４とから略構成され、この場合、ハウジング部材３とガイド部４とが一体的に形成されるとともに、コネクタ本体２はハウジング部材３に挿入して固定される（コネクタ本体２がハウジング部材３に取付けられたものをハウジング部ということがある。）。
【０００５】
コネクタ本体２は、絶縁材料からなる筐体２ａに複数の外部接続端子（プラグ端子）２ｂが図１中Ｙ１−Ｙ２両方向に突設されている。ガイド部４は、ハウジング部材３の両側にＹ１方向に延出した1対のガイド部材４ａ、４ｂからなり、各ガイド部材４ａ、４ｂの対向するＸ１−Ｘ２方向内側の側面にはガイド溝５ａ、５ｂが形成されている。また、ガイド部材４ａ、４ｂの間にイジェクトプレート（図示せず。）が設けられ、ガイド部材４ａ、４ｂの外側の側面にアーム６ａと操作レバー６ｂとが設けられ、これらイジェクトプレート、アーム６ａおよび操作レバー６ｂによりイジェクト機構６が構成されている。
【０００６】
上記のように構成されるカードコネクタ１は、例えば、電子機器としてのＰＣ（パーソナルコンピュータ）組立時に、図示しないＰＣの筐体に取付けられた基板７の上に搭載される。この基板７にはカードコネクタ１の他にも多数の電子部品が搭載されている。
【０００７】
カード型記録媒体としての、例えば、ＰＣカード８には図１中Ｙ２方向前面に接続端子（ジャック端子）８ａが設けられており、ガイド部材４ａ、４ｂのガイド溝５ａ、５ｂに案内されてカードコネクタ１に挿入、装着され、接続端子８ａが外部接続端子２ｂに接続される。
【０００８】
なお、筐体２ａの両側のコ字状部の内側には図１中Ｚ１−Ｚ２方向に高さ位置を違えて突起９ａ、９ｂが設けられており、ＰＣカード８を上下反転した誤った姿勢でカードコネクタ１に挿入するとＰＣカード８の先端部が突起９ａ、９ｂに当接して接続端子８ａと外部接続端子２ｂとが無理な位置関係で接続されることが防止され、一方、ＰＣカード８を正常な姿勢で挿入するとＰＣカード８の先端部の図示しない孔部に突起９ａ、９ｂが係合して正しく装着される構成とされている。
【０００９】
【発明が解決しようとする課題】
しかしながら、接続端子８ａおよび外部接続端子２ｂの数の増加に伴いカードコネクタは所定の幅（図１中ｗ）を確保することが不可欠であり、このことが、従来のカードコネクタにおいて、直接的には電子機器の基板７上の他の電子部品の搭載スペースを制限し、さらには電子機器の小型化要求を阻害する一因となっている。
【００１０】
本発明は上記の課題に鑑みてなされたものであり、幅を狭くして小型化されたカードコネクタを提供することを目的とする。
【００１１】
【課題を解決するための手段】
本発明に係るカードコネクタは、電子機器の外部接続端子としてのプラグ端子を有するハウジング部と、該プラグ端子に接続されるカード型記録媒体を挿抜する際にガイドするガイド部とを備え、該電子機器に装着されるカードコネクタにおいて、該ガイド部は、金属材料により薄幅に形成され、該ハウジング部の両側に対向して延出して取付けられる1対のガイド部材からなり、前記１対のガイド部材の上面の間に金属材料により形成されるフレーム部材がさらに橋架されてなり、前記フレーム部材は、下方に切り起こされて２段に折り曲げられ、前記1対のガイド部材の間において、前記ハウジング部の方向に向けて延在する切り起こし部分を有し、該切り起こし部分は、前記フレーム部材の本体部と平行とされて前記ハウジング部の方向に延出している先端部を有し、前記先端部は、前記ガイド部によってガイドされて挿入された前記カード型記録媒体の上面と密接するように形成してあることを特徴とする（請求項１に係る発明）。ここで、カード型記録媒体とは、ＰＣカード、あるいは、アダプタに装着されたメモリースティック等、本発明のカードコネクタに装着可能な形態のもの全てを含む。また、ガイド部の幅とはカードコネクタに接続されるカード型記録媒体の挿入方向と直交する方向の寸法をいう。
【００１２】
これにより、ガイド部のガイド部材の幅が小さくなり、また、これに伴ってガイド部を取付けるハウジング部の両側の不要部が除去されてハウジング部の幅を小さくすることができ、したがって、カードコネクタは全体として幅が小さくなり、カードコネクタが小型化される。
【００１３】
この場合、前記1対のガイド部材の間に金属材料により形成されるフレーム部材がさらに橋架されてなると、カードコネクタを組立てる際に、1対のガイド部材をハウジング部に個別に取付けることなく、ガイド部として一体的に簡易に取付けることができて好適である。
【００１５】
また、前記フレーム部材は、挿入される前記カード型記録媒体に密接可能に設けられているため、カード型記録媒体の金属材料からなる表面とともにフレーム部材を放熱面として利用して、使用中のカード型記録媒体の内部から発生する熱を除去することができ、好適である。
【００１６】
また、この場合、前記フレーム部材は、前記切り起こし部分に対して前記ハウジング部とは反対側の部位に、上方に切り起こされて２段に折り曲げられ、前記ハウジング部とは反対の方向に向けて延在する別の切り起こし部分を更に有し、該別の切り起こし部分は、前記フレーム部材の前記本体部と平行とされて前記ハウジング部の方向とは反対の方向に延出している別の先端部を有し、前記別の先端部が電子機器の金属材料により形成されるベース部材にさらに密接可能に設けられてなると（請求項２に係る発明）、さらにベース部材を放熱面として利用することができて、一層好適である。ここで、ベース部材とは、電子機器の筐体内に設けられ、電子部品を搭載するとともに放熱板としての機能を有する部材をいう。
【００１９】
また、本発明に係るカードコネクタは、電子機器の外部接続端子としてのプラグ端子を有し、且つ、基板への取り付け部を有するプラグ端子保持体と、金属板を折り曲げてなり、ベース部と、該ベース部の両側に立設され、該プラグ端子に接続されるカード型記録媒体を挿抜する際にガイドする１対のガイド部材からなるガイド部とを備え、該１対のガイド部材は、該カード型記録媒体の誤挿入を防止するための突起がそれぞれ設けてあり、該プラグ端子保持体および該ガイド部はそれぞれ独立して該電子機器の前記基板上に取付けられ、該ガイド部の前記１対のガイド部材が該プラグ端子保持体の両側に対向して配置してあることを特徴とする（請求項３に係る発明）。ここで、プラグ端子保持体とは、プラグ端子を所定数、所定のピッチで配設するのに必要最低限の寸法に形成された絶縁部材（筐体）をいう。
【００２０】
従来のカードコネクタにおいては、プラグ端子を有するプラグ端子保持体（コネクタ本体）は樹脂材料からなるハウジング部のハウジング部材に挿入して取付けられ、また、プラグ端子保持体若しくはハウジング部材の両側に誤挿入を防止するための突起が一体成形されており、突起の損傷を防止するために突起取り付け部に一定の強度を付与する観点からハウジング部材の幅を大きくする必要があった。しかしながら、上記本発明の構成によれば、突起は金属材料からなるガイド部材に取り付けられるため、突起取り付け部としての役割をもつハウジング部材を設けることは不要であり、したがって、プラグ端子保持体を基板に直接取付けることにより、ハウジング部材を基本的に省略することができ、カードコネクタの構成が簡素化されるとともに、カードコネクタの幅を小さくすることができる。
【００２１】
この場合、前記突起は、樹脂材料により形成され、前記1対のガイド部材のそれぞれに取付けられてなると（請求項４に係る発明）、突起を簡易に設けることができ、また、カード型記録媒体が弾性的に突起に当接することにより、カード型記録媒体および突起取り付け部の損傷を防止することができて好適である。
【００２２】
また、この場合、前記突起は、前記1対のガイド部材のそれぞれを切り起こして突設されてなると（請求項５に係る発明）、剛性の高い突起の突出量を小さくすることができ、したがって、カードコネクタの幅を小さくすることができて好適である。
【００２３】
【発明の実施の形態】
本発明に係るカードコネクタの好適な実施の形態（以下、本実施の形態例という。）について、図を参照して、以下に説明する。なお、カードコネクタの基本的な構成は前記した従来のカードコネクタ１と同様であるため、同一の各構成要素について、説明を省略することがある。
【００２４】
本実施の形態の第１の例に係るカードコネクタ１０について、図２を参照して説明する。
【００２５】
カードコネクタ１０は、図示しないコネクタ本体と、コネクタ本体を挿入して取り付けるためのハウジング部材１２と１対のガイド部材１４ａ、１４ｂからなるガイド部１４とから略構成される。なお、コネクタ本体がハウジング部材１２に取付けられたものをここではハウジング部という。
【００２６】
ハウジング部材１２は、基本的に従来のハウジング部材３と同様に構成されており、樹脂材料により形成されている。ハウジング部材１２の両側には、１対の突設部１８ａ、１８ｂが設けられている。突設部１８ａ、１８ｂの対向する内側には溝部１６ａ、１６ｂが形成され、突設部１８ａ、１８ｂの先端部には、スリットが１７ａ、１７ｂが形成されている。
【００２７】
ガイド部材１４ａ、１４ｂは、金属材料により薄幅（図２中Ｗ１）に形成されたフレーム状部材であり、対向する内側の側面にガイド溝２０ａ、２０ｂが形成され、また、先端部には舌片部２１ａ、２１ｂが形成されている。ガイド部材１４ａの外側の側面にはイジェクト機構６が取り付けられている。
【００２８】
ガイド部材１４ａ、１４ｂは、舌片部２１ａ、２１ｂをスリット１７ａ、１７ｂに挿入しながら、ガイド部材１４ａ、１４ｂの先端部をハウジング部材１２の溝部１６ａ、１６ｂに挿入して、それぞれ、ハウジング部材１２に取付けられる。これにより、コネクタ本体の取付けられたハウジング部材（ハウジング部）１２とガイド部材１４ａ、１４ｂとが一体化されて、カードコネクタ２０とされ、このカードコネクタ２０は図示しない電子機器に取付けられる。そして、図示しないカード型記録媒体として、例えば、従来例で示したＰＣカード８（図１参照）がカードコネクタ２０を介して電子機器に接続される。
【００２９】
上記のように構成される本実施の形態の第１の例に係るカードコネクタ１０によれば、金属材料で形成されるガイド部材１４ａ、１４ｂの幅Ｗ１を小さくすることができ、また、これに伴ってガイド部１４を取付けるハウジング部のハウジング部材１２の両側の不要部が除去されてハウジング部の幅Ｗ２を小さくすることができ、したがって、カードコネクタ１０は全体として幅が小さくなり、小型化される。
【００３０】
つぎに、本実施の形態の第２の例に係るカードコネクタ２２について、図３を参照して説明する。
【００３１】
カードコネクタ２２は、基本的な構成は本実施の形態の第１の例に係るカードコネクタ１０と同じである。本実施例を含む以下の実施例において、カードコネクタ１０と同一の構成要素にはカードコネクタ１０と同一の参照符号を付し、説明を省略する。
カードコネクタ２２は、カードコネクタ１０と異なり、１対のガイド部材１４ａ、１４ｂの間に金属材料からなるフレーム部材２４がさらに橋架されている。
【００３２】
したがって、本実施の形態の第２の例に係るカードコネクタ２２によれば、フレーム部材２４を介して1対のガイド部材１４ａ、１４ｂが一体化されているため、カードコネクタ２２を組立てる際、ガイド部１４を簡易にハウジング部（ハウジング部材１２）に取付けることができる。また、カードコネクタ２２を電子機器に装着した状態において、ガイド部１４の剛性が高い。
【００３３】
この場合、例えば、フレーム部材２４の四隅に設けた突出部２４ａがガイド部材１４ａ、１４ｂの図示しないスリットに係合するように構成することにより、フレーム部材２４をガイド部材１４ａ、１４ｂに着脱可能に設け、カードコネクタ２２を組立てた後電子機器の基板７上に装着する前に取り外すと、ガイド部材１４ａ、１４ｂ間には障害物が存在しなくなるため、基板上の電子部品を調整する必要が生じたときカードコネクタ２２を取り外すことなく調整することができて好適である。なお、フレーム部材２４をガイド部材１４ａ、１４ｂに取り付けた状態のままで使用し、基板７上の電子部品を調整する必要が生じたときにのみフレーム部材２４を取り外してもよく、この場合は、カードコネクタ２２使用中はガイド部材１４ａ、１４ｂの補強が維持される。また、取り外したフレーム部材２４は再使用可能であり、また、必要に応じて廃棄される。
【００３４】
また、フレーム部材２４は金属材料で形成されており元来の強度が高いため、材料使用量を少なくする目的で１対のＹ字状部を反転して接続したスリムな形状に形成されている。また、フレーム部材２４の周辺の隙間を介して空気流が図３中紙面上下方向に流通可能であり、これにより、ＰＣカード８から発生する熱を空気流によって容易に除去することができる。
【００３５】
つぎに、本実施の形態の第３の例に係るカードコネクタ２６について、図４を参照して説明する。
【００３６】
カードコネクタ２６は、基本的に本実施の形態の第２の例に係るカードコネクタ２２と同一の構成であり、カードコネクタ２６がカードコネクタ２２と異なるのは、フレーム部材２８が樹脂材料により形成されている点である。また、フレーム部材２８の剛性を高めるため、フレーム部材２８は幅広な、略長方形状に形成されている。
【００３７】
したがって、本実施の形態の第３の例に係るカードコネクタ２６によれば、フレーム部材２８を安価に形成することができて好適である。
【００３８】
つぎに、本実施の形態の第４の例に係るカードコネクタ３０について、図５を参照して説明する。
【００３９】
カードコネクタ３０は、基本的に本実施の形態の第３の例に係るカードコネクタ２６と同一の構成であり、カードコネクタ３０がカードコネクタ２６と異なるのは、フレーム部材３２に大きな開口（放熱用孔部）３４が形成されている点である。
【００４０】
したがって、本実施の形態の第４の例に係るカードコネクタ３０によれば、ＰＣカード８から発生する熱が伝達された空気流を開口３４を介してカードコネクタ３０の外部に流通させることにより、効率よく熱を除去することができる。
【００４１】
つぎに、本実施の形態の第５の例に係るカードコネクタ３６について、図６を参照して説明する。
【００４２】
カードコネクタ３６は、基本的に本実施の形態の第２の例に係るカードコネクタ２２と同一の構成であり、フレーム部材３８はフレーム部材２４と同様に金属材料を用いて形成されている。但し、フレーム部材３８の外形形状は、本実施の形態の第３の例に係るフレーム部材２８と同様に形成されている。
【００４３】
フレーム部材３８は、中央部が切り起こされて２段に折り曲げられ、先端部３８ａは本体部（切り起こされていない残部）３８ｂと平行に設けられている。この先端部３８ａは、カードコネクタ３６を電子機器に装着した後ＰＣカード８を挿入した状態において、ＰＣカード８に密接するように形成されている。なお、フレーム部材３８の切り起こし箇所はＰＣカード８の挿入方向と同じくＹ１方向からＹ２方向に向けて延出して設けられているため、ＰＣカード８が先端部３８ａに当接して挿入が阻害されることなく、カードコネクタ３６に挿入したＰＣカード８を円滑に先端部３８ａに摺接させることができる。
【００４４】
上記のように構成される本実施の形態の第５の例に係るカードコネクタ３６によれば、ＰＣカード８を使用中にＰＣカード８の内部から発生する熱は、ＰＣカード８の金属材料からなる表面（裏面含む）８ａ、８ｂに接触する空気流によって開口３４を介して除去されるとともに、さらに、熱が表面８ａからフレーム部材３８に伝導され、フレーム部材３８全体を放熱面として、フレーム部材３８に接触する空気流によって効率的に除去される。
【００４５】
つぎに、本実施の形態の第６の例に係るカードコネクタ４０について、図７を参照して説明する。
【００４６】
カードコネクタ４０は、本実施の形態の第５の例に係るカードコネクタ３６と類似の構成であるが、ＰＣカード８に密接されるフレーム部材４２の先端部４２ａはフレーム部材４２の本体部４２ｂのＹ２方向端部からＹ２方向に、先端部３８ａの場合と同様に段差状に屈折して延出している。また、フレーム部材４２の中央部が先端部４２ａとは反対方向に切り起こされ、切り起こし部位の先端部４２ｃは先端部４２ａと同様に断差状に設けられ、カードコネクタ４０を電子機器に装着した状態において、金属製のベース部材４４の下面４４ａに密接するように形成されている。
【００４７】
上記のように構成される本実施の形態の第６の例に係るカードコネクタ４０によれば、ＰＣカード８を使用中に内部から発生する熱は、先端部４２ａを介してフレーム部材４２に伝導されて、フレーム部材４２の本体部４２ｂの表面から除去されるとともに、さらに、熱の一部は先端部４２ｃを介してベース部材４４に伝導され、ベース部材４４から効率的に除去される。
【００４８】
ここで、本実施の形態の第２〜６の例に係る各カードコネクタ２２、２６、３０、３６、４０の各フレーム部材２４、２８、３２、３８、４２の外形形状は上記と異なる任意の形状に形成可能であり、開口３４についても同様である。また、ＰＣカード８およびベース部材４４に密接される各フレーム部材３８、４２の切り起こし箇所は各フレーム部材３８、４２の任意の位置に任意の形状に形成可能であり、また、切り起こして形成するかわりに、金属材料からなる別部材としての段差状の先端部を各フレーム部材３８、４２に取り付けてもよい。
【００４９】
なお、説明を省いたが、例えば図２に示した本実施の形態の第１の例に係るカードコネクタ１０において、参照符号１１はＰＣカード８の表面８ａ（図１参照）に設けられた図示しないカードバス（グランウンド用接点）と接触されるグラウンド用接点を示す。ここで、ＰＣカード８の表面８ａにグラウンド用接点が設けられない場合には、図８に示すように、ハウジング部材１２の上面１２ａをグラウンド用接点等による開口部のない平板状に形成すると、吸引機を用いてカードコネクタ１０を自動実装する際に吸着エリアとして効果的に作用し、また、カードコネクタ１０を電子機器に装着した状態において、上面１２ａが電子機器の筐体あるいはベース部材４４に確実に吸着されて、安定して保持される。また、カードコネクタ１０を基板７の上に装着した状態で基板７に他の電子部品を実装する必要を生じたとき、実装作業の際に、上面１２ａがガードの役割を果たし、誤って外部接続端子２ｂに触れて外部接続端子２ｂを損傷する等の不具合を回避することができる。また、上面１２ａを金属材料で形成すると、シールド部材としての機能を得ることもできる。
【００５０】
つぎに、本実施の形態の第７の例に係るカードコネクタ４６について、図９を参照して説明する。
【００５１】
カードコネクタ４６は、コネクタ本体（プラグ端子保持体）４８と、１対のガイド部材５０ａ、５０ｂを備えたガイド部５０と、カバー部材５２から略構成される。なお、本実施の形態の第１〜６の例および従来のカードコネクタ１において備えた、コネクタ本体２を挿入して装着するためのハウジング部材３、１２はカードコネクタ４６には設けられていない。
【００５２】
コネクタ本体４８は、樹脂材料により、外部接続端子２ｂを所定の数取り付けるのに必要最低限の寸法（図9中幅Ｗ１０）に形成され、また、他の部材とは独立して、基板７に直接取り付け可能なように、長尺方向の両側に取り付け部４８ａ、４８ｂが設けられている。
【００５３】
ガイド部５０は、1枚の薄板金属材料により形成され、折り曲げ加工してベース部５０ｃとベース部５０ｃの両側に立設された１対の薄幅なガイド部材５０ａ、５０ｂとが一体的に設けられている。ガイド部材５０ａ、５０ｂの対向するガイド溝５２ａ、５２ｂの端部にはそれぞれ突起５４ａ、５４ｂが設けられている。この突起５４ａ、５４ｂは、従来のカードコネクタ１の突起９ａ、９ｂに相当するものであり、ＰＣカード８の誤挿入を防止するために従来例ではコネクタ本体２に設けられていたものである。突起５４ａ、５４ｂは樹脂材料により形成され、適宜の方法によりガイド部材５０ａ、５０ｂに取り付けられている。
【００５４】
ここで、イジェクト機構６について、詳細に説明する。このイジェクト機構６は従来例と同様のものである。
【００５５】
イジェクト機構６は、イジェクトプレート（カム）６ｃと、アーム６ａと、操作レバー６ｂとから略構成される。イジェクトプレート６ｃは金属材料により形成され、ベース部５０ｃ上に形成された突起５６を介して回動可能に設けられている。イジェクトプレート６ｃの一端部には壁部５８が立設され、他端部はガイド部材５０ａに外側に延出して鉤部６０が立設されている。ガイド部材５０ａの外側側面にはＬ字状の係止部６２が上下に形成され、係止部６２にアーム６ａが取り付けられ、アーム６ａの一端部に操作レバー６ｂが設けられている。アーム６ａの他端部には鉤部６０と係合する鉤部６４が形成されている。そして、ＰＣカード８を挿入した状態で操作レバー６ｂを図９中Ｙ２方向に押すと、イジェクトプレート６ｃが矢印Ａ方向に回動し、ＰＣカード８が壁部５８に押されてカードコネクタ４６から押し出される構成とされている。
【００５６】
カバー部材５２は金属材料により形成され、グラウンド用接点１１が設けられるとともに、基板７へ取付けるための取り付け部６０ａ、６０ｂが設けられている。
【００５７】
上記の各部材から構成されるカードコネクタ４６を電子機器の基板７の上に取付けるには、コネクタ本体４８と、イジェクト機構６が取付けられたガイド部５０とをそれぞれ独立して基板７の上の所定の位置に配置して基板７に固定した後、コネクタ本体４８およびガイド部５０を覆うようにしてカバー部材５２を基板７に取り付ける。なお、ガイド部５０は図示しない適宜の取り付け構造によって基板７に取り付けられる。
【００５８】
上記のように構成される本実施の形態の第７の例に係るカードコネクタ４６によれば、ＰＣカード８の誤挿入を防止するための突起５４ａ、５４ｂはガイド部材５０ａ、５０ｂに取り付けられるため、突起取り付け部としての役割をもつハウジング部材を設けることは不要であり、したがって、ハウジング部材が省略された分だけ、カードコネクタ４６の幅Ｗ３を小さくすることができ、また、カードコネクタ４６の構成が簡素化される。また、樹脂材料からなる突起５４ａ、５４ｂは簡易に設けることができ、ＰＣカード８は弾性的に突起５４ａ、５４ｂに当接するため、ＰＣカード８および突起取り付け部の損傷を防止することができる。なお、カバー部材５２は金属材料よりなるため、シールド部材としての機能を有する。
【００５９】
つぎに、本実施の形態の第８の例に係るカードコネクタ６６について、図１０を参照して説明する。
【００６０】
カードコネクタ６６は、本実施の形態の第７の例に係るカードコネクタ４６と略同一の構成であり、突起６８ａ、６８ｂは、ガイド部材５０ａ、５０ｂのそれぞれの一部を切り起こして突設されている点がカードコネクタ４６と異なる。
【００６１】
上記のように構成される本実施の形態の第８の例に係るカードコネクタ６６によれば、突起６８ａ、６８ｂの突出量Ｗ５が小さく、したがって、ガイド部５０（カードコネクタ６６）の幅Ｗ６が小さい。
【００６２】
【発明の効果】
請求項１に係るカードコネクタによれば、プラグ端子を有するハウジング部と、カード型記録媒体を挿抜する際にガイドするガイド部とを備えたカードコネクタにおいて、ガイド部は、金属材料により薄幅に形成され、ハウジング部の両側に対向して延出して取付けられる1対のガイド部材からなるため、ガイド部のガイド部材の幅が小さくなり、また、これに伴ってガイド部を取付けるハウジング部の両側の不要部が除去されてハウジング部の幅を小さくすることができ、したがって、カードコネクタは全体として幅が小さくなり、カードコネクタが小型化される。
【００６３】
また、１対のガイド部材の間に金属材料により形成されるフレーム部材がさらに橋架されてなるため、カードコネクタを組立てる際に、１対のガイド部材をハウジング部に個別に取付けることなく、ガイド部として一体的に簡易に取付けることができる。
【００６５】
また、フレーム部材は、挿入されるカード型記録媒体に密接可能に設けられてなるため、カード型記録媒体の金属材料からなる表面とともにフレーム部材を放熱面として、使用中のカード型記録媒体の内部から発生する熱を除去することができる。
【００６６】
また、請求項２に係るカードコネクタによれば、フレーム部材は、電子機器の金属材料により形成されるベース部材にさらに密接可能に設けられてなるため、さらにベース部材を放熱面として利用することができる。
【００６９】
また、請求項３に係るカードコネクタによれば、プラグ端子を有するプラグ端子保持体と、１対のガイド部材からなるガイド部とを備え、プラグ端子保持体およびガイド部はそれぞれ独立して電子機器の基板上に取付けられ、１対のガイド部材は、金属材料により薄幅に形成され、カード型記録媒体の誤挿入を防止するための突起がそれぞれ設けられてなるため、突起取り付け部としての役割をもつハウジング部材を設けることは不要であり、したがって、プラグ端子保持体を基板に直接取付けることにより、ハウジング部材を基本的に省略することができ、カードコネクタの構成が簡素化されるとともに、カードコネクタの幅を小さくすることができる。
【００７０】
また、請求項４に係るカードコネクタによれば、突起は、樹脂材料により形成され、1対のガイド部材のそれぞれに取付けられてなるため、突起を簡易に設けることができ、また、カード型記録媒体および突起取り付け部の損傷を防止することができる。
【００７１】
また、請求項５に係るカードコネクタによれば、突起は、１対のガイド部材のそれぞれを切り起こして突設されてなるため、突起の突出量を小さくすることができ、カードコネクタの幅を小さくすることができる。
【図面の簡単な説明】
【図１】従来のカードコネクタの組立分解斜視図である。
【図２】本実施の形態の第１の例に係るカードコネクタの組立分解斜視図である。
【図３】本実施の形態の第２の例に係るカードコネクタの組立分解斜視図である。
【図４】本実施の形態の第３の例に係るカードコネクタのフレーム部材を示す図である。
【図５】本実施の形態の第４の例に係るカードコネクタのフレーム部材を示す図である。
【図６】本実施の形態の第５の例に係るカードコネクタのフレーム部材を示す図である。
【図７】本実施の形態の第６の例に係るカードコネクタのフレーム部材を示す図である。
【図８】本発明に係るカードコネクタのハウジング部材の一例である。
【図９】本実施の形態の第７の例に係るカードコネクタの組立分解斜視図である。
【図１０】本実施の形態の第８の例に係るカードコネクタを一部省略して示した組立分解斜視図である。
【符号の説明】
６  イジェクト機構
７  基板
８  ＰＣカード
１０、２２、２６、３０、３６、４０、４６、６６  カードコネクタ
１２  ハウジング部材
１４、５０  ガイド部
１４ａ、１４ｂ、５０ａ、５０ｂ  ガイド部材
２４、２８、３２、３８、４２  フレーム部材
４８  コネクタ本体
５２  カバー部材
５４ａ、５４ｂ、６８ａ、６８ｂ  突起
【図１】
0004299427.tif 000002
【図２】
0004299427.tif 000003
【図３】
0004299427.tif 000004
【図４】
0004299427.tif 000005
【図５】
0004299427.tif 000006
【図６】
0004299427.tif 000007
【図７】
0004299427.tif 000008
【図８】
0004299427.tif 000009
【図９】
0004299427.tif 000010
【図１０】
0004299427.tif 000011